(57)【要約】      （修正有）【課題】可搬式撮影スタジオ及び可搬式撮影スタジオ用ホルダーを提供する。【解決手段】ホルダー１０と、三脚１１と、カメラ１２ａの撮影と連動して発光するストロボ１２と、ストロボ用アダプタ１３と、２本の棒１４と、光拡散反射シート１５とを備える。ホルダー１０の三脚用接続部を、立脚させた三脚１１の上端部に接続し、ストロボ１２を接続したアダプタ１３をホルダー１０のストロボ用接続部に接続し、２本の棒１３の一端部のそれぞれを、ホルダー１０の２つの係合凹部のそれぞれに装着し、光拡散反射シート１５の上方の両端１５ａのそれぞれを、２本の棒１４の他端部１４ｂに設けられた把持部１４ｃのそれぞれに把持することで、光拡散反射シート１５を上下左右の四方向に広げ、四方向に広げた光拡散反射シート１５に対してストロボ１２を上下左右方向に回動させ、当該ストロボ１２の発光部１２ｂを所定方向に向けて固定する。【選択図】図５
0003224484.tif 000002
【実用新案登録請求の範囲】
【請求項１】
ホルダーと、三脚と、カメラの撮影と連動して発光するストロボと、前記ストロボを上下左右方向に回動可能に固定するストロボ用のアダプタと、２本の棒と、光拡散反射シートと、
を備え、
前記ホルダーは、
Ｙ字状に形成された本体部と、
前記本体部のＹ字の下端部に設けられ、前記三脚の上端部に接続可能な三脚用接続部と、
前記本体部のＹ字の中央部に設けられ、前記ストロボ用のアダプタに接続可能なストロボ用接続部と、
前記本体部のＹ字の２つの上端部のそれぞれに設けられ、前記棒の一端部に装着可能な係合凹部と、
を備え、
前記ホルダーの三脚用接続部を、立脚させた前記三脚の上端部に接続し、前記ストロボを接続したアダプタを前記ホルダーのストロボ用接続部に接続し、前記２本の棒の一端部のそれぞれを、前記ホルダーの２つの係合凹部のそれぞれに装着し、前記光拡散反射シートの上方の両端のそれぞれを、前記２本の棒の他端部に設けられた把持部のそれぞれに把持することで、前記光拡散反射シートを上下左右の四方向に広げ、四方向に広げた前記光拡散反射シートに対して前記ストロボを上下左右方向に回動させ、当該ストロボの発光部を所定方向に向けて固定することで、撮影スタジオを構成する
可搬式撮影スタジオ。
【請求項２】
Ｙ字状に形成された本体部と、
前記本体部のＹ字の下端部に設けられ、三脚の上端部に接続可能な三脚用接続部と、
前記本体部のＹ字の中央部に設けられ、カメラの撮影と連動して発光するストロボを上下左右方向に回動可能に固定するストロボ用のアダプタに接続可能なストロボ用接続部と、
前記本体部のＹ字の２つの上端部のそれぞれに設けられ、棒の一端部に装着可能な係合凹部と、
を備え、
本ホルダーの三脚用接続部を、立脚させた前記三脚の上端部に接続し、前記ストロボを接続したアダプタを本ホルダーのストロボ用接続部に接続し、２本の棒の一端部のそれぞれを、本ホルダーの２つの係合凹部のそれぞれに装着し、前記光拡散反射シートの上方の両端のそれぞれを、前記２本の棒の他端部に設けられた把持部のそれぞれに把持することで、前記光拡散反射シートを上下左右の四方向に広げ、四方向に広げた前記光拡散反射シートに対して前記ストロボを上下左右方向に回動させ、当該ストロボの発光部を所定方向に向けて固定することで、撮影スタジオを構成する
可搬式撮影スタジオ用ホルダー。
【考案の詳細な説明】
【技術分野】
【０００１】
本考案は、可搬式撮影スタジオ及び可搬式撮影スタジオ用ホルダーに関する。
【背景技術】
【０００２】
従来、任意の場所で綺麗な写真撮影をすることが可能な可搬式の撮影スタジオに関する技術が存在する。例えば、特表２００７−５１９００８号公報（特許文献１）には、壁面又は搬送用コンテナ上に取り付けて使用できる、身元証明写真を撮影するための搬送可能な装置（撮影ブース）が開示されている。この装置は、ベース、モータユニット、摺動ブロックに固定された直立部材、水平に延在するフレーム、及び少なくとも３台のデジタルビデオカメラを含む。ベースは、支持フレームへの接続のためのブラケットを備えるとともに、摺動ブロックが上下動するためのガイドを有する。モータユニットは、ベースに固定されていて、摺動ブロックをガイドに沿って移動させる。水平フレームは、直立部材によって支持されており、シートホルダ及び対応する垂直の背景シートを支持して、撮影空間を作り出す。デジタルビデオカメラは、撮影空間に向けられていて、被写体の顔面を、前方及び両側方から同時に撮影する。又、同時に撮影した３つの画像をデジタル形式で記録する。これにより、信頼性が高く簡単に操作出来て、身元証明写真を撮影するための装置を提供することが可能となり、必要な場所へと簡単に搬送出来て、据付け位置で使用可能な身元証明写真の撮影装置を提供することが出来るとしている。
【０００３】
又、特開２０１７−６０１０９号公報（特許文献２）には、遊技者を撮影するカメラ及び複数個のストロボを運搬可能に構成されて成る可搬型撮影スタジオ装置が開示されている。この装置は、カメラ及びモニタを収容しストロボが取り付けられた筐体を室内に限らず室外、屋外において催される各種イベントの会場、美容室や服飾販売店などの商業施設に搬入して設置する。これにより、屋内外のパーティ会場などにおいて１人に限らず、多人数を綺麗に撮影して楽しむことが出来るとともに、美容室や服飾販売店に筐体を設置すれば、美容室で提供可能なヘアースタイルを撮影し、服飾販売店で販売可能な服を着たモデルを撮影することが出来るとしている。そして、遊技者自身を撮影するという個人の楽しみにとどまらず、撮影した画像をＳＮＳに投稿するなどして店の宣伝広告にも活用することが出来るとしている。
【先行技術文献】
【特許文献】
【０００４】
【特許文献１】特表２００７−５１９００８号公報
【特許文献２】特開２０１７−６０１０９号公報
【考案の概要】
【考案が解決しようとする課題】
【０００５】
近年、様々なイベントにおいて写真撮影する機会が増加している。例えば、お腹が大きくなった妊婦姿を記録として写真に残すことをマタニティフォトという。生後まもない赤ちゃんの生まれたての姿を写真に残すことをニューボーンフォトという。生後１００日にお食い初めのお祝いの赤ちゃんの姿を写真に残すことを百日祝いフォトという。赤ちゃんの初めての寝返り・お座り・つかまり立ち・あんよ等の姿を写真に残すことをベビーフォトという。
【０００６】
従来、このような写真撮影は専門の撮影スタジオで行われていたが、最近、カメラマンが顧客の指定する指定場所へ出向いて写真撮影を行う出張撮影サービスが登場してきている。このような出張撮影サービスでは、カメラマンは、指定場所で撮影環境を整えた上で写真撮影を行う。
【０００７】
ここで、指定場所は、顧客によって様々であり、例えば、マタニティフォトやニューボーンフォトの場合、顧客の自宅や住居であることが多く、生活品に溢れ、写真撮影可能な背景に何もない場所が殆ど無い。そのため、カメラマンが、指定場所で綺麗な写真を撮影するための良好な撮影環境を作ることが出来ないという課題がある。
【０００８】
一方、市販品として、背景となる大きなシートを有する可搬式撮影スタジオは存在するものの、この可搬式撮影スタジオでは、装置全体が大きい。そのため、一人のカメラマンがこの可搬式撮影スタジオを持って顧客の指定場所に訪問するのは、多大な労力を有し、実際、一人のカメラマンでは、この可搬式撮影スタジオで出張撮影サービスを行うことは出来ないという課題がある。現実、二人以上のカメラマンがこの可搬式撮影スタジオを持って訪問することになるが、そのような場合、手軽に出張撮影サービスを提供することが出来ないという課題がある。
【０００９】
上述した特許文献１−２に記載の技術では、装置全体が大きいため、上述と同様に、一人のカメラマンが出張撮影サービスを行うことは困難である。
【００１０】
そこで、本考案は、課題を解決するためになされたものであり、狭い場所でも大きな面光源や撮影用背景、レフ板を得ることが出来るとともに、女性一人でも手軽に携帯し、且つ、簡単に組み立てることが可能な可搬式撮影スタジオ及び可搬式撮影スタジオ用ホルダーを提供することを目的とする。
【課題を解決するための手段】
【００１１】
本考案者は、鋭意研究を重ねた結果、本考案に係る新規な可搬式撮影スタジオ及び可搬式撮影スタジオ用ホルダーを完成させた。即ち、本考案に係る可搬式撮影スタジオは、ホルダーと、三脚と、カメラの撮影と連動して発光するストロボと、前記ストロボを上下左右方向に回動可能に固定するストロボ用のアダプタと、２本の棒と、光拡散反射シートと、を備える。前記ホルダーは、本体部と、三脚用接続部と、ストロボ用接続部と、係合凹部と、を備える。本体部は、Ｙ字状に形成されている。三脚用接続部は、本体部のＹ字の下端部に設けられ、三脚の上端部に接続可能である。ストロボ用接続部は、本体部のＹ字の中央部に設けられ、ストロボ用のアダプタに接続可能である。係合凹部は、本体部のＹ字の２つの上端部のそれぞれに設けられ、棒の一端部に装着可能である。本考案に係る可搬式撮影スタジオは、前記ホルダーの三脚用接続部を、立脚させた前記三脚の上端部に接続し、前記ストロボを接続したアダプタを前記ホルダーのストロボ用接続部に接続し、前記２本の棒の一端部のそれぞれを、前記ホルダーの２つの係合凹部のそれぞれに装着し、前記光拡散反射シートの上方の両端のそれぞれを、前記２本の棒の他端部に設けられた把持部のそれぞれに把持することで、前記光拡散反射シートを上下左右の四方向に広げ、四方向に広げた前記光拡散反射シートに対して前記ストロボを上下左右方向に回動させ、当該ストロボの発光部を所定方向に向けて固定することで、撮影スタジオを構成する。
【００１２】
又、本考案に係る可搬式撮影スタジオ用ホルダーは、上述の可搬式撮影スタジオのホルダーと同様に、本体部と、三脚用接続部と、ストロボ用接続部と、係合凹部と、を備える。
【考案の効果】
【００１３】
本考案によれば、狭い場所でも大きな面光源や撮影用背景、レフ板を得ることが出来るとともに、女性一人でも手軽に携帯し、且つ、簡単に組み立てることが可能となる。
【図面の簡単な説明】
【００１４】
【図１】本考案の実施形態に係る可搬式撮影スタジオの各部品を示す概要図（図１Ａ）と、本考案の実施形態に係る可搬式撮影スタジオ用ホルダーを示す正面斜視図と右側面斜視図（図１Ｂ）と、である。
【図２】本考案の実施形態に係る可搬式撮影スタジオのホルダーと三脚とストロボとを組み立てる場合を示す斜視図（図２Ａ）と、本考案の実施形態に係る可搬式撮影スタジオ用ホルダーと２本の棒とを組み立てる場合を示す斜視図（図２Ｂ）と、である。
【図３】本考案の実施形態に係る可搬式撮影スタジオのホルダーと三脚とストロボと２本の棒とを組み立てた場合を示す斜視図（図３Ａ）と、本考案の実施形態に係る２本の棒に光拡散反射シートを組み立てる場合を示す斜視図（図３Ｂ）と、である。
【図４】本考案の実施形態に係る可搬式撮影スタジオの光拡散反射シートを上下左右の四方向に広げた場合を示す斜視図（図４Ａ）と、本考案の実施形態に係る可搬式撮影スタジオのストロボと反対側から光拡散反射シートを見た場合を示す斜視図（図４Ｂ）と、である。
【図５】本考案の実施形態に係る可搬式撮影スタジオでカメラマンがモデルをマタニティフォトとして写真撮影する場合を示す側面図である。
【図６】本考案の実施形態に係る可搬式撮影スタジオでカメラマンがモデルをニューボーンフォトとして写真撮影する場合を示す側面図である。
【図７】本考案の実施形態に係る可搬式撮影スタジオをダイニングキッチンの一部に設置した場合の斜視図（図７Ａ）と、ダイニングキッチンの一部に設置した可搬式撮影スタジオでカメラマンがモデルを写真撮影した場合を示す参考写真（図７Ｂ）と、である。
【図８】本考案の実施形態に係る可搬式撮影スタジオを廊下の一部に設置した場合の斜視図（図８Ａ）と、廊下の一部に設置した可搬式撮影スタジオでカメラマンがモデルを写真撮影した場合を示す参考写真（図８Ｂ）と、である。
【図９】本考案の実施形態に係る可搬式撮影スタジオをリビングルームの一部に設置した場合の斜視図（図９Ａ）と、リビングルームの一部に設置した可搬式撮影スタジオでカメラマンがモデルを写真撮影した場合を示す参考写真（図９Ｂ）と、である。
【図１０】本考案の実施形態に係る可搬式撮影スタジオ用ホルダーの連結型の構成を示す参考斜視図である。
【考案を実施するための形態】
【００１５】
以下に、添付図面を参照して、本考案の実施形態について説明し、本考案の理解に供する。尚、以下の実施形態は、本考案を具体化した一例であって、本考案の技術的範囲を限定する性格のものではない。
【００１６】
本考案の実施形態に係る可搬式撮影スタジオ１は、図１Ａに示すように、ホルダー１０と、三脚１１と、カメラ１２ａの撮影と連動して発光するストロボ１２と、ストロボ１２を上下左右方向に回動可能に固定するストロボ用のアダプタ１３と、２本の棒１４と、光拡散反射シート１５と、を備える。
【００１７】
又、ホルダー１０は、図１Ｂに示すように、本体部１０ａと、三脚用接続部１０ｂと、ストロボ用接続部１０ｃと、係合凹部１０ｄと、を備える。
【００１８】
本体部１０ａは、Ｙ字状に形成されている。三脚用接続部１０ｂは、本体部１０ａのＹ字の下端部１０ａ１に設けられ、三脚１１の上端部１１ａに接続可能である。
【００１９】
ストロボ用接続部１０ｃは、本体部１０ａのＹ字の中央部に設けられ、ストロボ１２用のアダプタ１３に接続可能である。係合凹部１０ｄは、本体部１０ａのＹ字の２つの上端部１０ａ２のそれぞれに設けられ、棒１４の一端部１４ａに装着可能である。ここでの係合凹部１０ｄとは、棒１４の一端部１４ａを係止可能な程度の凹部という意味である。
【００２０】
そして、カメラマンは、本考案の実施形態に係る可搬式撮影スタジオ１の一式を持って顧客の指定場所に訪問し、撮影スタジオ１を組み立てる。
【００２１】
先ず、カメラマンは、図２Ａに示すように、ホルダー１０の三脚用接続部１０ｂを、立脚させた三脚１１の上端部１１ａに接続し、ストロボ１２を接続したアダプタ１３をホルダー１０のストロボ用接続部１０ｃに接続する。
【００２２】
具体的には、ストロボ用接続部１０ｃは、円柱形状の凸部に構成され、アダプタ１３の先端には、ストロボ用接続部１０ｃの円柱形状の凸部を装着可能な円筒形状の凹部１３ａが設けられている。アダプタ１３の円筒形状の凹部１３ａにホルダー１０のストロボ用接続部１０ｃの円柱形状の凸部を装着することで、アダプタ１３をストロボ用接続部１０ｃに接続することが出来る。
【００２３】
次に、カメラマンは、図２Ｂに示すように、２本の棒１４の一端部１４ａのそれぞれを、ホルダー１０の２つの係合凹部１０ｄのそれぞれに装着する。すると、図３Ａに示すように、ストロボ１２が三脚１１の上方付近に配置され、２本の棒１４がホルダー１０を中心に左右上方にそれぞれ伸びた構成となる。
【００２４】
そして、カメラマンは、図３Ｂに示すように、光拡散反射シート１５の上方の両端１５ａのそれぞれを、２本の棒１４の他端部１４ｂに設けられた把持部１４ｃのそれぞれに把持することで、図４Ａに示すように、光拡散反射シート１５を上下左右の四方向に広げる。
【００２５】
最後に、カメラマンは、図４Ｂに示すように、四方向に広げた光拡散反射シート１５に対してストロボ１２を上下左右方向に回動させ、当該ストロボ１２の発光部１２ｂを所定方向に向けて固定することで、撮影スタジオを構成する。
【００２６】
これにより、狭い場所でも大きな面光源や撮影用背景、レフ板を得ることが出来るとともに、女性一人でも手軽に携帯し、且つ、簡単に組み立てることが可能となる。
【００２７】
即ち、三脚１１を立てる程度のスペースがあれば、写真撮影に必要となる背景の光拡散反射シート１５を簡単に四方向に広げることが可能となる。
【００２８】
更に、背景の光拡散反射シート１５には、ストロボ１２が上下左右方向に回動可能に固定されているため、カメラマンが、当該ストロボ１２の発光部１２ｂを光拡散反射シート１５に対して上下左右方向に回動することが出来る。そのため、カメラマンが、可搬式撮影スタジオを設置する場所の周りの環境や光の強弱に合わせて、ストロボ１２の発光部１２ｂを所定方向に向けて固定して、撮影の光を調整し、撮影環境を最適化することが出来る。
【００２９】
例えば、設置場所の背景に何もない場合は、図５に示すように、カメラマンは、光拡散反射シート１５の方向にストロボ１２の発光部１２ｂを向けて固定する。次に、カメラマンは、光拡散反射シート１５を介してストロボ１２（ホルダー１０、三脚１１等）と反対側にモデル（例えば、お腹が大きくなった妊婦姿）を配置して、カメラ１２ａで写真撮影すれば、カメラ１２ａの撮影と連動してストロボ１２が発光部１２ｂで発光する。
【００３０】
すると、発光部１２ｂは、四方向に広げた光拡散反射シート１５に向かって発光することで、光が光拡散反射シート１５全体に対して拡散し、その透過光が光拡散反射シート１５全体からモデルとカメラマンのカメラ１２ａに照射される。
【００３１】
これにより、四方向に広げた光拡散反射シート１５は、ストロボ１２の発光部１２ｂの光によって、大きな面光源として機能し、大きな面光源により、綺麗な写真を撮影することが出来る。この場合は、マタニティフォト等に適している。
【００３２】
又、例えば、設置場所の背景に大きな壁がある場合は、図６に示すように、カメラマンは、壁Ｗの前に可搬式撮影スタジオ１を設置し、光拡散反射シート１５の方向と逆方向にストロボ１２の発光部１２ｂを向け、つまり、ストロボ１２の発光部１２ｂを壁Ｗの方向に向けて固定する。次に、カメラマンは、光拡散反射シート１５を介してストロボ１２（ホルダー１０、三脚１１等）と反対側にモデル（例えば、生後まもない赤ちゃん）を配置して、カメラ１２ａで写真撮影すれば、カメラ１２ａの撮影と連動してストロボ１２が発光部１２ｂで発光する。
【００３３】
すると、発光部１２ｂは、壁Ｗに向かって発光することで、光が壁Ｗを反射し、壁Ｗの向かいに存在する光拡散反射シート１５の全体に対して拡散し、その透過光が光拡散反射シート１５の全体からモデルとカメラマンのカメラ１２ａに照射される。
【００３４】
これにより、四方向に広げた光拡散反射シート１５をモデルの背景とすることが出来るとともに、ストロボ１２の発光部１２ｂの光によって、撮影の光を調整し、綺麗な写真を撮影することが出来る。この場合は、ニューボーンフォト等に適している。
【００３５】
更に、四方向に広げた光拡散反射シート１５は、通常のレフ板のように光を反射させるため、カメラマンが、モデルの周囲に四方向に広げた光拡散反射シート１５を配置して、モデルと光拡散反射シート１５に向かって写真撮影することで、カメラ１２ａから発光された光を光拡散反射シート１５で反射させて、その反射光を利用して、綺麗な写真を撮影することが出来る。
【００３６】
又、四方向に広げた光拡散反射シート１５は、通常のレフ板のように剛性を有するものでなく、柔軟性を有する。そのため、例えば、指定場所に生活品が溢れていたとしても、光拡散反射シート１５で生活品を被せてしまえば、写真撮影可能な背景に何もない撮影環境を簡単に作り出すことが出来る。つまり、自宅や住居を一瞬で撮影スタジオにすることが可能となるのである。
【００３７】
そして、本考案の実施形態に係る可搬式撮影スタジオ１は、ホルダー１０と、三脚１１と、ストロボ１２と、アダプタ１３と、２本の棒１４と、光拡散反射シート１５とで構成され、極めて部品点数が少ない。そのため、本考案の実施形態に係る可搬式撮影スタジオ１は、大掛かりな部品を必要とせず、コンパクトに収納することが出来て、女性一人でも簡単に持ち運びすることが可能である。
【００３８】
更に、本考案の実施形態に係る可搬式撮影スタジオ１は、上述のように、極めて組立が簡単である。そのため、本考案の実施形態に係る可搬式撮影スタジオ１は、二人以上のカメラマンを必要とせず、女性一人でも簡単に組み立てたり解体したりすることが可能である。
【００３９】
ここで、ホルダー１０の材質に特に限定は無いが、例えば、合成樹脂やアルミ等の軽金属であると、可搬式撮影スタジオ１の軽量化に寄与する。
【００４０】
又、ホルダー１０の本体部１０ａのＹ字状の形状に特に限定は無いが、例えば、Ｙ字の中央部とＹ字の２つの上端部１０ａ２の一方との直線と、Ｙ字の中央部とＹ字の２つの上端部１０ａ２の他方との直線とで成す角度が、７０度〜１１０度の範囲内であると好ましく、８０度〜１００度の範囲内であると更に好ましい。これにより、Ｙ字の２つの上端部１０ａ２の係合凹部１０ｄのそれぞれに２本の棒１４の一端部１４ａのそれぞれを装着した際に、ホルダー１０と三脚１１と２本の棒１４とが綺麗なＹ字状となり、光拡散反射シート１５を四方向に大きく広げることが可能となる。
【００４１】
又、ホルダー１０の三脚用接続部１０ｂは、三脚１１の上端部１１ａに接続可能であれば、特に限定は無いが、例えば、三脚１１の上端部１１ａは、通常、市販のカメラやストロボを装着し易いように、雄螺子を構成しているため、三脚用接続部１０ｂは、雄螺子に対応する雌螺子を構成すると好ましい。これにより、市販の三脚１１を本考案の実施形態に係る可搬式撮影スタジオ１に転用することが可能となる。又、雌螺子に雄螺子を螺着させるだけで良いので、組立が容易になる。
【００４２】
又、ホルダー１０のストロボ用接続部１０ｃは、ストロボ１２用のアダプタ１３に接続可能であれば、特に限定は無いが、例えば、ストロボ１２用のアダプタ１３は、上述のように、通常、市販のカメラや三脚を装着し易いように、円筒形状の凹部１３ａを構成しているため、ストロボ用接続部１０ｃは、アダプタ１３の円筒形状の凹部１３ａに対応する円筒形状の凸部１０ｃを構成すると好ましい。これにより、市販のストロボ１２と市販のアダプタ１３を本考案の実施形態に係る可搬式撮影スタジオ１に転用することが可能となる。又、円筒形状の凹部１３ａに円筒形状の凸部１０ｃを入れるだけで良いので、組立が容易になる。尚、別途、凹部１３ａ又は凸部１０ｃに固定用螺子を設けて、固定用螺子の操作により、凹部１３ａと凸部１０ｃとの装着を強固にするように構成しても良い。
【００４３】
又、ホルダー１０の係合凹部１０ｄは、棒１４の一端部１４ａに装着可能であれば、特に限定は無いが、例えば、市販の棒１４の一端部１４ａは、通常、円柱形状の凸部を構成しているため、係合凹部１０ｄは、円柱形状の凸部に対応する円柱形状の凹部を構成すると好ましい。これにより、市販の棒１４を本考案の実施形態に係る可搬式撮影スタジオ１に転用することが可能となる。又、円柱形状の凸部に円柱形状の凹部を入れるだけで良いので、組立が容易になる。尚、別途、係合凹部１０ｄ又は棒１４の一端部１４ａに固定用螺子を設けて、固定用螺子の操作により、係合凹部１０ｄと棒１４の一端部１４ａとの装着を強固にするように構成しても良い。
【００４４】
又、三脚１１の種類に特に限定は無いが、例えば、市販の三脚１１であると好ましい。これにより、本考案の実施形態に係る可搬式撮影スタジオ１の三脚１１に手持ちの三脚を転用することが可能となる。
【００４５】
又、ストロボ１２の種類に特に限定は無いが、例えば、ストロボ１２は、光拡散反射シート１５を介してカメラ１２ａの位置と反対側の位置に配置されるため、カメラ１２ａと無線通信して、カメラ１２ａの撮影と連動して発光すると好ましい。
【００４６】
又、棒１４の種類に特に限定は無いが、図３Ｂ、図４Ａに示すように、棒１４の長手方向に沿って伸縮可能な構成であると好ましい。例えば、光拡散反射シート１５の上方の両端１５ａの距離が、左右上方にそれぞれ伸びた２本の棒１４の他端部１４ｂの間の距離と同等の場合は、光拡散反射シート１５の上方の両端１５ａのそれぞれを２本の棒１４の他端部１４ｂのそれぞれに把持部１４ｃで固定することで、光拡散反射シート１５がピンと張られた状態となる。この場合、棒１４の長手方向の長さは、光拡散反射シート１５の上方の両端１５ａの距離（光拡散反射シート１５の幅方向の長さ）に対応するため、棒１４は特に伸縮可能である必要は無い。
【００４７】
一方、光拡散反射シート１５の上方の両端１５ａの距離が、左右上方にそれぞれ伸びた２本の棒１４の他端部１４ｂの間の距離よりも長い場合は、光拡散反射シート１５の上方の両端１５ａのそれぞれを２本の棒１４の他端部１４ｂのそれぞれに把持部１４ｃで固定しても、光拡散反射シート１５が撓んだ状態となり、ピンと張られた状態にならない。
【００４８】
そこで、棒１４が伸縮可能な構成であれば、カメラマンが２本の棒１４のそれぞれを伸ばすことで、２本の棒１４の他端部１４ｂのそれぞれをより高い左右上方に位置させることが可能となり、左右上方にそれぞれ伸びた２本の棒１４の他端部１４ｂの間の距離はより長くなる。これにより、左右上方にそれぞれ伸びた２本の棒１４の他端部１４ｂの間の距離を、光拡散反射シート１５の上方の両端１５ａの距離に対応させることが出来て、光拡散反射シート１５をピンと張られた状態にすることが可能となる。又、棒１４が伸縮可能な構成であれば、背の低いカメラマン（例えば、女性のカメラマン）であっても、２本の棒１４の他端部１４ｂのそれぞれをより高い位置に配置させることが出来るため、背景となる光拡散反射シート１５を上下方向に広く広げることが可能となる。
【００４９】
又、棒１４の他端部１４ｂに設けられる把持部１４ｃの種類に特に限定は無いが、例えば、市販のクリップやクランプ等を挙げることが出来る。
【００５０】
又、光拡散反射シート１５の種類に特に限定は無いが、例えば、白色のシーツ等を挙げることが出来る。これにより、光拡散反射シート１５を小さく丸めて携帯し易くすることが出来る。又、光拡散反射シート１５の柄に特に限定は無いが、例えば、無地でも良いし、撮影環境用のデザインが設けられていても良い。
【００５１】
尚、本考案の実施形態に係る可搬式撮影スタジオ１では、三脚１１と、ストロボ１２と、アダプタ１３と、２本の棒１４と、光拡散反射シート１５との全部又は一部を、カメラマン所有の物で転用することが出来るため、ホルダー１０があれば、本考案の実施形態に係る可搬式撮影スタジオ１を構成することが出来る。
【００５２】
又、本考案の実施形態に係る可搬式撮影スタジオ１は、一台だけでも良いし、二台以上を左右方向に並べて（連結して）も良い。ここで、二台以上の可搬式撮影スタジオ１を左右方向に並べる場合、場所の光の強弱に応じて、可搬式撮影スタジオ１のホルダー１０のそれぞれにストロボ１２を搭載して、大きな面光源で、且つ、大きな背景に構成しても良い。又、二台以上の可搬式撮影スタジオ１を左右方向に並べる場合、場所の光の強弱に応じて、可搬式撮影スタジオ１のホルダー１０のいずれか又は特定の場所のホルダー１０にストロボ１２を搭載して、一部を面光源とし、且つ、一部をレフ板に構成しても良い。このように、複数の可搬式撮影スタジオ１を組み合わせることで、様々な場所や様々な光の条件であっても、良好な撮影環境を作成することが出来る。
【００５３】
さて、本考案の実施形態に係る可搬式撮影スタジオ１の作用効果について説明する。例えば、顧客からの指定場所が、図７Ａに示すように、左側に壁Ｗがある住居のダイニングキッチンの一部の場合、カメラマンは、先ず、ダイニングキッチンの一部の中央部に第一の可搬式撮影スタジオ１ａの光拡散反射シート１５を上下左右の四方向に広げるとともに、アダプタ１３を用いてストロボ１２の発光部１２ｂを光拡散反射シート１５に向けて固定する。これにより、ダイニングキッチンの一部の中央部に面光源を構成する。次に、ダイニングキッチンの一部の左側の壁Ｗは、疑似的なレフ板となるものの、右側には何もないため、カメラマンは、右側に、第二の可搬式撮影スタジオ１ｂの光拡散反射シート１５をもう一つ上下左右の四方向に広げる。これにより、ダイニングキッチンの一部の右側にレフ板を構成する。このように、ダイニングキッチンの一部であっても良好な撮影環境を作成することが出来る。この撮影環境を作成するための時間は非常に短く５分も掛からない。そして、カメラマンは、モデルに左側の壁Ｗに寄りかかってもらって、カメラ１２ａで写真撮影すれば、図７Ｂに示すように、第一の可搬式撮影スタジオ１ａの面光源と第二の可搬式撮影スタジオ１ｂのレフ板により、綺麗な写真が撮影されていることが理解される。
【００５４】
次に、顧客からの指定場所が、図８Ａに示すように、左側に壁Ｗがあり、奥に右開きの扉Ｔがあり、部屋が存在する廊下の一部の場合、カメラマンは、先ず、廊下の一部の中央部に第一の可搬式撮影スタジオ１ａの光拡散反射シート１５を上下左右の四方向に広げるとともに、ストロボ１２の発光部１２ｂを光拡散反射シート１５に向けて固定する。これにより、廊下の一部の中央部に面光源を構成する。次に、扉Ｔを隠すために、廊下の一部の右側に、第二の可搬式撮影スタジオ１ｂの光拡散反射シート１５をもう一つ上下左右の四方向に広げる。これにより、廊下の一部の右側に背景を構成する。このように、廊下の一部であっても良好な撮影環境を作成することが出来る。同様に、この撮影環境を作成するための時間は非常に短い。そして、カメラマンは、モデルに第二の可搬式撮影スタジオ１ｂの光拡散反射シート１５の前で座ってもらったり、立ってもらったりして、カメラ１２ａで写真撮影すれば、図８Ｂに示すように、第一の可搬式撮影スタジオ１ａの面光源と第二の可搬式撮影スタジオ１ｂの背景により、綺麗な写真が撮影されていることが理解される。
【００５５】
更に、顧客からの指定場所が、図９Ａに示すように、テーブルＴが存在し、奥に窓Ｍが存在するリビングルームの一部の場合、カメラマンは、先ず、テーブルＴと窓Ｍとの間に可搬式撮影スタジオ１ａの光拡散反射シート１５を上下左右の四方向に広げるとともに、ストロボ１２の発光部１２ｂを光拡散反射シート１５に向けて固定する。これにより、窓Ｍを隠して、リビングルームの中央部に面光源を構成する。又、光拡散反射シート１５をテーブルＴの一部に覆って、背景を構成する。このように、リビングルームの一部であっても良好な撮影環境を作成することが出来る。同様に、この撮影環境を作成するための時間は非常に短い。そして、カメラマンは、モデルに光拡散反射シート１５の前に立ってもらったり、テーブルＴの一部に軽く腰かけてもらったりして、カメラ１２ａで写真撮影すれば、図９Ｂに示すように、可搬式撮影スタジオの面光源と背景により、綺麗な写真が撮影されていることが理解される。
【００５６】
このように、本考案は、狭い場所でも大きな面光源や撮影用背景、レフ板を得ることが出来るとともに、女性一人でも手軽に携帯し、且つ、簡単に組み立てることが可能となる。
【００５７】
さて、可搬式撮影スタジオ用ホルダー１０は、図１−図５に示すように、本体部１０ａに、三脚用接続部１０ｂと、ストロボ用接続部１０ｃと、係合凹部１０ｄと、を設けた一体型として構成しているが、これに限定する必要は無く、複数の部材を連結した連結型で構成しても構わない。
【００５８】
例えば、図１０に示すように、三脚用接続部１０ｂを有する第一の円柱部材１０ａ３の上端正面側に、両端に係合凹部１０ｄを有するＬ字状部材１０ａ４の曲げ部を連結し、更に、第一の円柱部材１０ａ３とＬ字状部材１０ａ４の連結部の正面側から、ストロボ用接続部１０ｃを有する第二の円柱部材１０ａ５を貫通させることで、第一の円柱部材１０ａ３とＬ字状部材１０ａ４とでＹ字状とし、可搬式撮影スタジオ用ホルダー１０を構成しても良い。この場合は、三脚用接続部１０ｂとストロボ用接続部１０ｃとの間に係合凹部１０ｄが設けられる。
【００５９】
又、第一の円柱部材１０ａ３の上端背面側に、Ｌ字状部材１０ａ４の曲げ部を連結し、更に、第一の円柱部材１０ａ３とＬ字状部材１０ａ４の連結部の正面側から、ストロボ用接続部１０ｃを有する第二の円柱部材１０ａ５を貫通させることで、可搬式撮影スタジオ用ホルダー１０を構成しても良い。この場合は、ストロボ用接続部１０ｃと係合凹部１０ｄとの間に三脚用接続部１０ｂが設けられる。
【００６０】
又、第一の円柱部材１０ａ３の中央部背面側に、Ｌ字状部材１０ａ４の曲げ部を連結し、更に、第一の円柱部材１０ａ３とＬ字状部材１０ａ４の連結部の正面側から、ストロボ用接続部１０ｃを有する第二の円柱部材１０ａ５を貫通させることで、可搬式撮影スタジオ用ホルダー１０を構成しても良い。この場合は、純粋なＹ字状とならず、第一の円柱部材１０ａ３の上端部が上方に突き出たＹ字状となるが、このような構成であっても、光拡散反射シート１４を四方向に広げることが可能であるため、特に問題は無い。
【００６１】
ここで、第一の円柱部材１０ａ３の上端部に、他のストロボやレフ板用の傘などを接続可能な追加用接続部１０ｅを更に設けても構わない。その他に、第二の円柱部材１０ａ５の一端部には、ストロボ用接続部１０ｃが設けられているが、第二の円柱部材１０ａ５の一端部に、上述と同様に、追加用接続部１０ｅを更に設けても構わない。追加用接続部１０ｅにより、他の部材を装着して、更に、良好な撮影環境を作り出すことが可能となる。
【００６２】
又、本考案の実施形態に係る可搬式撮影スタジオ及び可搬式撮影スタジオ用ホルダーでは、上述の構成の他に、更に、他の機能を追加しても構わない。
【産業上の利用可能性】
【００６３】
以上のように、本考案は、出張撮影サービスに限らず、狭い場所で綺麗な写真を撮影するための可搬式撮影スタジオ及び可搬式撮影スタジオ用ホルダーとして有用であり、狭い場所でも大きな面光源を得ることが出来るとともに、女性一人でも手軽に携帯し、且つ、簡単に組み立てることが可能な可搬式撮影スタジオ及び可搬式撮影スタジオ用ホルダーとして有効である。
【符号の説明】
【００６４】
１    可搬式撮影スタジオ
１０  ホルダー
１１  三脚
１２  ストロボ
１３  ストロボ用のアダプタ
１４  棒
１５  光拡散反射シート
【図１】
0003224484.tif 000003
【図２】
0003224484.tif 000004
【図３】
0003224484.tif 000005
【図４】
0003224484.tif 000006
【図５】
0003224484.tif 000007
【図６】
0003224484.tif 000008
【図７】
0003224484.tif 000009
【図８】
0003224484.tif 000010
【図９】
0003224484.tif 000011
【図１０】
0003224484.tif 000012